(57)【要約】【課題】大きな受電コイルを有する電子カメラとこれを載置して充電する充電装置からなる電子カメラシステムにおいて、適切な載置の形態が実現できる電子カメラシステムを提供する。【解決手段】電子カメラ１００において、撮影レンズの配置されるカメラ前面の左側に受電コイル２２が設けられ、カメラ背面にディスプレイ１４が設けられる。電子カメラ１００は後ろ向きでかつカメラの背面が上を仰ぐように、充電装置２００に載置される。充電装置２００には、載置された電子カメラ１００の前面に対応する部分であって、電子カメラ１００の受電コイル２２と対向する位置に一次コイル２９が設けられている。充電装置２００は、充電中もディスプレイ１４に表示される画像を見ることができるように、電子カメラ１００のディスプレイ１４を露出させて載置する。【選択図】図４
2006353094.tif 000002
【特許請求の範囲】
【請求項１】
充電可能な電子カメラとこの電子カメラを載置して充電を行う充電装置からなる電子カメラシステムにおいて、
上記電子カメラは、外部からの磁界を受けて電磁誘導作用により起電力を発生させる受電コイルを、二次電池への充電のために、撮影レンズが設けられる本体部の前面に設け、かつ本体部の背面に画像を表示するためのディスプレイ部を備え、
上記充電装置は、この電子カメラの背面側が前を向くように電子カメラを後ろ向きに載置させ、載置されたこの電子カメラ前面に対応する部分には、受電コイルに対向する位置に受電コイルに向けて磁界を発生させる一次コイルを設け、上記電子カメラの背面側に対応する部分ついては、画面を見ることのできるようディスプレイ部を露出させる  
ことを特徴とする電子カメラシステム。
【請求項２】
上記充電装置は、上記電子カメラを、そのディスプレイ部が斜め上方を仰ぐような状態に載置する
ことを特徴とする請求項１に記載の電子カメラシステム。
【請求項３】
上記充電装置は、上記電子カメラをこの電子カメラの通常の撮影姿勢に対して９０度回転した向きで載置する
ことを特徴とする請求項１または２いずれかに記載の電子カメラシステム。
【発明の詳細な説明】
【技術分野】
【０００１】
本発明は、二次電池を電源として使用する電子カメラとそのカメラの専用の充電装置からなる電子カメラシステムの技術に関する。
【背景技術】
【０００２】
電源である電池に充電可能な二次電池を使用する電子カメラでこの電池を充電する技術に関する発明が特開２００１−６９３８８号公報に開示されている。同公報では、電磁誘導作用を利用して充電器から電子カメラに電力を供給し、供給された電力でその電子カメラに備えられている電池を充電するという、いわゆる非接触式の充電方式を採用した電子カメラが開示されている。
【０００３】
このような非接触式の充電方式では、充電用の金属端子を電子カメラの筐体表面に設けることなく電池の充電が行なえるので、筐体表面に露出してしまうこの金属端子を外部の環境から保護しつつその導電性を維持するための手段を講じる必要がないという利点を有している。
【特許文献１】特開２００１−６９３８８号公報
【発明の開示】
【発明が解決しようとする課題】
【０００４】
非接触式の充電方式の電子カメラシステムでは、電子カメラが専用の充電装置に載置された状態で充電が行われる。充電装置には、載置された電子カメラの受電コイルの位置に、対応する一次コイルが設けられる。そして、受電コイルは充電効率の向上の点からその面積が大きく確保できるようなカメラの領域に配置されるが、このような電子カメラであっても、充電装置に載置された充電状態で画像表示が可能であることが望ましい。
【０００５】
以上の問題に鑑み本発明は、大きな受電コイルを有する電子カメラとこれを載置して充電する充電装置からなる電子カメラシステムにおいて、適切な載置の形態が実現できる電子カメラシステムを提供するものである。
【課題を解決するための手段】
【０００６】
第１の発明による電子カメラシステムは、充電可能な電子カメラとこの電子カメラを載置して充電を行う充電装置からなる電子カメラシステムにおいて、上記電子カメラは、外部からの磁界を受けて電磁誘導作用により起電力を発生させる受電コイルを、二次電池への充電のために、撮影レンズが設けられる本体部の前面に設け、かつ本体部の背面に画像を表示するためのディスプレイ部を備え、上記充電装置は、この電子カメラの背面側が前を向くように電子カメラを後ろ向きに載置させ、載置されたこの電子カメラ前面に対応する部分には、受電コイルに対向する位置に受電コイルに向けて磁界を発生させる一次コイルを設け、上記電子カメラの背面側に対応する部分ついては、画面を見ることのできるようディスプレイ部を露出させるものである。
【発明の効果】
【０００７】
本発明に係る電子カメラシステムでは、大きな受電コイルを有する電子カメラとこれを載置して充電する充電装置からなる電子カメラシステムにおいて、適切な載置の形態が実現できる電子カメラシステムを提供することができる。
【発明を実施するための最良の形態】
【０００８】
以下、本発明の実施の形態を図面に基づいて説明する。  図１は、本発明を実施する電子カメラシステムの電気的構成を示す図である。同図に示すカメラシステムは、電子カメラ１００と、充電装置を兼ねる電子カメラ１００専用のスタンド２００とより構成されている。なお、スタンド２００はクレードル（Cradle）などと呼ばれることもある。
【０００９】
まず図１における電子カメラ１００の電気的構成について説明する。電子カメラ１００の内部では、ＣＰＵ１、撮像処理部４、ＤＲＡＭ５、画像処理部６、フラッシュメモリ７、メモリカード８、ＵＳＢ  Ｉ／Ｆ９、ＳＩＦドライバ１１、ＬＣＤドライバ１３がいずれもバス１２に接続されており、これらの間ではＣＰＵ１によるバス１２の管理の下で相互にデータの授受を行なうことができる。
【００１０】
ＣＰＵ（Central Processing Unit ）１はこの電子カメラ１００全体の動作制御を行なう中央演算装置である。撮影レンズ２は被写体像を撮像素子３の受光面に結像させる。
【００１１】
撮像素子３は受光面に結像している被写体像を光電変換してその被写体像が表されている画像を示すアナログ信号を出力する。
【００１２】
撮像処理部４は、ＣＤＳ（Correlated Double Sampling：相関二重サンプリング回路）、ＡＧＣ（Automatic Gain Control：自動利得制御回路）、及びアナログ／デジタル変換回路などを含んで構成され、ＣＰＵ１の制御の下に、撮像素子３から出力されたアナログ信号に含まれるリセット雑音の除去や信号レベルの調節等を行ない、これらの処理が行なわれた後のアナログ信号をデジタルデータに変換する。
【００１３】
この撮像処理部４から出力される、被写体像が表されている画像を表現しているデジタルデータを、以降「撮影画像」と称することとする。  ＤＲＡＭ（Dynamic Random Access Memory）５は、撮像処理部４から出力された撮影画像や画像処理部６による画像処理が施された撮影画像等を一時的に蓄えるバッファメモリとして使用される他、ＣＰＵ１による各種処理のための作業用の記憶領域としても使用されるメモリである。
【００１４】
画像処理部６は、ＣＰＵ１による指示に基づき、撮像処理部４から出力される撮影画像に施されるγ補正やホワイトバランス等の画像補正処理や、画像を表現している画像データの記録・再生のための画像圧縮伸張処理などの各種処理を施す。なお、画像データの圧縮・伸張処理では、例えばＪＰＥＧ（Joint  Photographic  Experts  Group）方式に沿った伸張処理及び圧縮処理等が行われる。
【００１５】
フラッシュメモリ７には、ＣＰＵ１にこの電子カメラ１００全体の動作制御を行なわせるための制御プログラムが予め格納されている。ＣＰＵ１は、フラッシュメモリ７に格納された制御プログラムを読み出して実行することによって、この電子カメラ全体の動作制御を行なう。
【００１６】
メモリカード８は画像データを格納するメモリであり、この電子カメラ１００から着脱可能である。
【００１７】
ＵＳＢ（Universal Serial Bus）  Ｉ／Ｆ９ａは、ＵＳＢ端子１０ａに接続されたパーソナルコンピュータ等の外部装置とＣＰＵ１との間での各種データの授受を行なうためのインタフェース機能を提供する。
【００１８】
ＳＩＦ（Serial Interface）ドライバ１１は、この電子カメラ１００からスタンド２００へ画像データ等を伝送するためのインタフェース機能を提供するものであり、バス１２を介して送られてくるパラレルデータである画像データをシリアルデータに変換する。
【００１９】
受発光部１２ａはＬＥＤ（Light Emitting Diode）とフォトトランジスタとを備えて構成され、電子カメラ１００がスタンド２００に載置されているときにスタンド２００との間で光を伝送媒体として各種のデータの授受を行なうものである。ＣＰＵ１、ＵＳＢ  Ｉ／Ｆ９ａ、及びＳＩＦドライバ１１は受発光部１２ａ
を介してシリアルデータをスタンド２００へ伝送することが可能であり、また、ＣＰＵ１及びＵＳＢ  Ｉ／Ｆ９ａはスタンド２００から送られてくるシリアルデータを受信することも可能である。
【００２０】
ＬＣＤ（Liquid Crystal Display）ドライバ１３はＬＣＤディスプレイ１４を駆動してバス１２を介して送られてきた画像データで表現されている画像をＬＣＤディスプレイ１４に表示させる。ＬＣＤディスプレイ１４は、画像を表示する液晶モニタである。
【００２１】
セルフＬＥＤ１５は、いわゆるセルフタイマ撮影をこの電子カメラ１００で行なうときに、点灯・消灯を様々な間隔で行なうことによって、被写体となる人物に撮影のタイミングを表示して視覚的に通知する。
【００２２】
操作指示部１６はユーザによって操作される各種キー、スイッチ、ボタン等を備えて構成される。ＣＰＵ１は操作指示部１６に対してなされた操作の内容を取得し、その内容に対応するユーザからの指示を受け取る。
【００２３】
リモコン受光部１７は、不図示のリモコンから送られてくる光信号を受光してその光信号に対応するデータをＣＰＵ１に送付する。ＣＰＵ１はリモコン受光部１７から送付されたデータの内容に基づいて所定の処理を行なう。例えば、不図示のリモコンから撮影動作を行なう指示を示す光信号をリモコン受光部１７が受光したときにはＣＰＵ１は撮影動作のための制御処理を行なう。
【００２４】
電源部１８は電子カメラ１００の各部に所定の電圧に安定化された電力を供給する。充電池１９はこの電子カメラ１００の電源となる電池であり、例えばニッカド電池、ニッケル水素電池、リチウムイオン電池などといった充電可能である二次電池が用いられる。
【００２５】
ＤＣ入力端子２０は、充電池１９の代わりに外部電源を用いて電子カメラ１００を動作させるときに、外部電源から出力される直流の電力が入力される端子である。充電部２１は２次コイル２２に所定の電圧値以上の起電力が励起しているときに充電池１９の充電を行なう。また、２次コイル２２に生じた起電力は充電部２１から電源部１８にも導かれており、電子カメラ１００がスタンド２００に載置
されているときには、ＤＣ入力端子２０を開放した状態のまま、スタンド２００を充電池１９に代わる電源として電子カメラ１００を動作させることができる。
【００２６】
２次コイル２２は、電子カメラ１００がスタンド２００に載置されているときにスタンド２００で発生させた磁界によって起電力が生じるコイルであり、電磁誘導作用を利用する非接触式の充電方式における受電コイルとして機能する。電子カメラ１００は以上のように構成されている。
【００２７】
次に図１におけるスタンド２００の電気的構成について説明する。受発光部１２ｂは電子カメラ１００の受発光部１２ａと同様のものであり、電子カメラ１００との間で光を伝送媒体として各種のデータの授受を行なうものである。ＵＳＢ  Ｉ／Ｆ９ｂはこの受発光部１２ｂを介してシリアルデータを電子
カメラ１００へ伝送することが可能であり、またＵＳＢ  Ｉ／Ｆ９ｂ及びビデオＩ／Ｆ２３は電子カメラ１００から送られてくるシリアルデータを受信することが可能である。
【００２８】
なお、ＵＳＢ  Ｉ／Ｆ９ｂは電子カメラ１００のＵＳＢ  Ｉ／Ｆ９ａと同様のものであり、電子カメラ１００がこのスタンド２００に載置されているときには、ＵＳＢ端子１０ａの代わりにＵＳＢ端子１０ｂにパーソナルコンピュータ等の外部装置を接続してもこの外部装置と電子カメラ１００のＣＰＵ１との間で各種データの授受を行なうことができる。
【００２９】
また、ビデオＩ／Ｆ２３は、電子カメラ１００がこのスタンド２００に載置されているときに電子カメラ１００から受発光部１２ｂを介して送られてくる画像データをビデオ信号に変換するものである。ビデオＩ／Ｆ２３から出力されるビデオ信号はビデオ出力端子２４に導かれており、家庭用のテレビジョン装置をビデオ出力端子２４に接続すると、その画像データで表現されている画像がそのテレビジョン装置に表示される。
【００３０】
ＡＣ／ＤＣ変換部２５は、商用電源からＡＣ電源コード２６を介して供給される交流の電圧を所定の電圧に降圧させると共に直流に整流し、所定の電圧に安定化してスタンド２００の各部に電力を供給する。ＡＣ／ＤＣ変換部２５には数メートルの長さのＤＣ電源コード２７の一端が接続されており、そのもう一方の端を電子カメラ１００のＤＣ入力端子に接続することによって、電子カメラ１００がスタンド２００に載置されていない状態であってもこのスタンド２００を電子カメラ１００の外部電源として使用することができるように構成されている。
【００３１】
発振部２８は所定の周波数の高周波を発生させる。１次コイル２９は、発振部２８で発生させた高周波が入力されることによって磁束数が時間経過に応じて変化する磁界を生じさせるコイルであり、電磁誘導作用を利用する非接触式の充電方式における送電コイルとして機能する。電子カメラ１００の２次コイル２２では、この１次コイル２９が生じさせた磁界中に置かれることによって起電力が生じる。
【００３２】
スタンド２００は以上のように構成されている。  次に図２及び図３について説明する。  図２は本発明を実施する電子カメラ１００の主要な構造の第一の例を示す図である。図２において、（ａ）は電子カメラ１００をその上面から見たときの内部の構造を透視した図であり、（ｂ）は電子カメラ１００をその正面から見たときの内部の構造を透視した図である。
【００３３】
また、図３は図２に示した電子カメラ１００の斜視図であり、蓋３３が開放されている状態を示している。なお、図２及び図３において図１に示したものと同一の構成要素には同一の符号を付している。
【００３４】
図２及び図３において、充電池１９は電子カメラ１００に対して着脱可能であり、収納室３１に収納される。収納室３１は電子カメラ１００の正面側から見て左側の正面に設けられ、その正面側に開口部分を有している。充電池１９はこの開口部分から収納室３１の内部に収納される。
【００３５】
また、電子カメラ１００にはヒンジ３２を支点として開閉させることのできる蓋３３が設けられており、蓋３３を閉じることによって収納室３１の開口部分が封止される。なお、図２（ａ）には蓋３３の開放時及び封止時の状態を併せて図示している。
【００３６】
蓋３３の内側には基板３４が嵌め込まれており、その基板３４には厚さの薄い２次コイル２２が固定されている。従って２次コイル２２は蓋３３と基板３４との間に挟まれた状態となる。スタンド２００に設置された１次コイル２９が生じさせる磁界内に２次コイル２２が配置されると２次コイル２２には起電力が生じる。
【００３７】
なお、電子カメラ１００がスタンド２００に載置されたときの１次コイル２９と２次コイル２２との間隔は狭い方が効率良くスタンド２００から電子カメラ１００への電力供給が行なえるので、電力供給の効率の観点からは蓋３３の厚さは薄い方が望ましい。また、蓋３３の材質としては透磁率の低いものを使用する方が磁気の遮蔽効果が少ないので望ましい。
【００３８】
また、２次コイル２２の形状（巻き方）は、図２では楕円状に巻かれていることが示されているが、充電池１９を充電するために十分な起電力をスタンド２００で発生させる磁界に基づいて生じさせることができるのであれば、円状、あるいは四角状等などの他の形状としてもよい。
【００３９】
基板３４に固定されている２次コイル２２の中心部にはセルフＬＥＤ１５が配置されている。基板３４が蓋３３に嵌め込まれたときにセルフＬＥＤ１５が位置する蓋３３の部分には、セルフＬＥＤ１５から発せられる光を蓋３３の外側から視認することができるようにするための透明部３５が設けられている。この透明部３５の材質は例えばアクリル樹脂を用いる。
【００４０】
セルフＬＥＤ１５をこの部分に設けたので、２次コイル２２の内部の中空部分の有効利用がなされ、充電池１９を収納するための収納室３１の開口部分を電子カメラ１００の正面側に設けたことによって生じる他の構成要素の配置の制約が軽減される。
【００４１】
基板３４に固定されている２次コイル２２及びセルフＬＥＤ１５はフレキシブル基板３６を介して主基板３７に配置されている充電部２１やＣＰＵ１等の電子回路と電気的に接続されている。２次コイル２２とセルフＬＥＤ１５とを同一の基板３４に固定したことは、基板３４と主基板３７との配線がフレキシブル基板３６で纏めて行なえるという利点も有している。
【００４２】
その他、図２には、ＬＣＤディスプレイ１４が電子カメラ１００の背面に設けられていること、撮影レンズ２が設けられている鏡枠３８が電子カメラ１００の正面側から見て右寄りの正面に設けられていること、及び操作指示部１６のひとつである撮影動作を指示するためのレリーズボタン３９が電子カメラ１００の正面側から見て左寄りの上面に設けられていることが示されている。なお、この電子カメラ１００はいわゆる沈胴式を採用しており、撮影を行なわないときには鏡枠３８が電子カメラ１００の筐体内部に収納される。
【００４３】
また、図３には、外部電源から出力される直流の電力が入力されるＤＣ入力端子２０が電子カメラ１００の右側面に設けられていること、及び蓋３３を開放するために操作される開放スイッチ４０、及び図１には不図示である夜間撮影時における照明であるストロボ４１が電子カメラ１００の正面に設けられていることが示されている。
【００４４】
次に図４について説明する。同図は、図２及び図３に示した電子カメラ１００について用いられるスタンド２００の構造の第一の例を示している。図４において、（ａ）は電子カメラ１００がスタンド２００に載置された状態を正面から見た図であり、（ｂ）は同様の状態をその左側面から見た図である。
【００４５】
なお、図４において、図１、図２若しくは図３に示したものと同一の構成要素には同一の符号を付している。  図４（ａ）に示すように、電子カメラ１００は、その正面とスタンド２００の正面とが接する向き、すなわち、電子カメラ１００がスタンド２００に載置された状態でも電子カメラ１００の背面に設けられているＬＣＤディスプレイ１４を見ることができる向きに載置する。
【００４６】
図４（ｂ）に示すように、電子カメラ１００をスタンド２００に載置すると、電子カメラ１００の背面に設けられているＬＣＤディスプレイ１４は斜め上方を仰ぐような状態となる。これは、スタンド２００に載置された状態で電子カメラ１００に画像の再生動作を行なわせたときにＬＣＤディスプレイ１４に表示される画像の視認性を向上させるためである。
【００４７】
また、図４（ｂ）に示すように、１次コイル２９はスタンド２００の筐体内部に配置されるが、前述したような電力供給の効率の観点から、電子カメラ１００が載置されたときにその正面側に設けられている２次コイル２２と平行且つ対向する位置に配置されることが望ましく、更に、電子カメラ１００が載置されたときの１次コイル２９と２次コイル２２との間の距離はなるべく短くなることが望ましい。
【００４８】
その他、図４には、ＵＳＢ端子１０ｂ及びビデオ出力端子２４がスタンド２００の左側面に設けられていること、及びＡＣ電源コード２６がスタンド２００の右側面からスタンド２００内部に引き込まれていることが示されている。  なお、図４では図示していないが、電子カメラ１００の受発光部１２ａは電子
カメラ１００の底面に設けられており、スタンド２００の受発光部１２ｂは電子カメラ１００がスタンド２００に載置されたときに対向する位置に設けられている。
【００４９】
電子カメラ１００及びスタンド２００が以上のような構成及び構造を有することにより、電子カメラ１００に充電用の金属端子を筐体表面に設けなくても、電子カメラ１００をスタンド２００に載置すれば充電池１９の充電を行なうことができる。
【００５０】
次に図５について説明する。同図は、図２及び図３に示した電子カメラ１００について用いられるスタンド２００の構造の第二の例を示している。なお、図５において、図１、図２若しくは図３に示したものと同様の機能を有する構成要素には同一の符号を付している。
【００５１】
図５に示すように、電子カメラ１００は、その正面とスタンド２００の正面とが接する向き、すなわち、電子カメラ１００がスタンド２００に載置された状態でも電子カメラ１００の背面に設けられているＬＣＤディスプレイ１４を見ることができる向きに載置されるが、図４に示すスタンド２００の構造の第一の例とは異なり、電子カメラ１００が縦向き、すなわち図４に示されている載置状態に対して９０度回転した向きとなるように載置される。
【００５２】
また、図５に示すスタンド２００の構造の第二の例において、電子カメラ１００をスタンド２００に載置すると、電子カメラ１００の背面に設けられているＬＣＤディスプレイ１３は斜め上方を仰ぐような状態となるが、これは図４（ｂ）に示すスタンド２００の構造の第一の例と同様の理由によるものである。
【００５３】
また、図５においても、前述したような電力供給の効率の観点から、１次コイル２９はスタンド２００の筐体内部における位置は、電子カメラ１００が載置されたときにその正面側に設けられている２次コイル２２と平行且つ対向する位置に配置されることが望ましく、更に、電子カメラ１００が載置されたときの１次コイル２９と２次コイル２２との間の距離はなるべく短くなることが望ましい。図５に示す例でも１次コイル２９はまさにこれらの要求に沿うような位置に配置されている。
【００５４】
その他、図５には、ＡＣ電源コード２６がスタンド２００の右側面からスタンド２００内部に引き込まれていること、及びスタンド２００の右側面から延びているＤＣ電源コード２７が電子カメラ１００のＤＣ入力端子２０に接続されており、スタンド２００を外部電源として用いて電子カメラ１００を動作させることができる状態となっていることが示されている。
【００５５】
スタンド２００が図５に示すような構成を有していても、図２および図３に示した電子カメラ１００をスタンド２００に載置すれば充電池１９の充電を行なうことができる。
【００５６】
以下、電子カメラ１００及びスタンド２００の他の構成例について説明する。
なお、以降の説明において今までに説明した各図に示したものと同様の機能を有する同一の構成要素には同一の符号を付すこととし、以降の説明においては一部の構成要素について詳細な説明を省略する。
【００５７】
まず図６について説明する。同図は本発明を実施する電子カメラ１００の主要な構造の第二の例を示す図である。図６において、（ａ）は電子カメラ１００をその上面から見たときの内部の構造を透視した図、（ｂ）は電子カメラ１００をその正面から見たときの内部の構造を透視した図、（ｃ）は電子カメラ１００をその底面から見たときの内部の構造を透視した図、（ｄ）は電子カメラ１００をその底面から見た図である。
【００５８】
図６に示す電子カメラ１００の構造の第二の例と図２及び図３に示した電子カメラ１００の構造の第一の例との大きな違いは、充電池１９を収納するための収納室３１の開口部が、電子カメラ１００の正面側にではなく底面側に設けられており、その開口部を封止するための、２次コイル２２が設けられている蓋３３が電子カメラ１００の底面に設けられている点にある。
【００５９】
このように、電子カメラ１００の底面に平行且つ近接した部分に２次コイル２２を配置することにより、電力供給の効率が良好となるような配置にスタンド２００に設けられる１次コイル２９と２次コイル２２とを位置させることが容易となる。
【００６０】
また、電子カメラ１００の底面に２次コイル２２を配置することにより、電子カメラ１００の正面側に２次コイル２２を配置すると生じる他の構成要素の配置の制約が解消される。  その他、図６（ｄ）には、電子カメラ１００の底面には三脚ネジ穴４２が設けられていることが示されている。
【００６１】
次に図７について説明する。同図は、図６に示した電子カメラ１００について用いられるスタンド２００の構造の例を示している。図７において、（ａ）は電子カメラ１００がスタンド２００に載置された状態を正面から見た図であり、（ｂ）は同様の状態をその左側面から見た図である。
【００６２】
図７に示すスタンド２００の構造と図４に示したスタンド２００の構造との違いは１次コイル２９の配置のみであり、他の構造は同一である。図７に示すスタンド２００でも、１次コイル２９の位置は、前述したような電力供給の効率の観点から、１次コイル２９はスタンド２００の筐体内部における位置は、電子カメラ１００が載置されたときにその底面側に設けられている２次コイル２２と平行且つ対向する位置に配置されることが望ましく、更に、電子カメラ１００が載置されたときの１次コイル２９と２次コイル２２との間の距離はなるべく短くなることが望ましい。図７に示す例でも１次コイル２９はまさにこれらの要求に沿うような位置に配置されている。
【００６３】
電子カメラ１００及びスタンド２００がそれぞれ図６及び図７に示す構成及び構造を有することによっても、電子カメラ１００に充電用の金属端子を筐体表面に設けることなく充電池１９の充電を行なうことができる。
【００６４】
次に図８について説明する。同図は本発明を実施する電子カメラ１００の主要な構造の第三の例を示す図である。図８において、（ａ）は蓋３３が開放の状態にあるときにおける電子カメラ１００をその上面から見たときの内部の構造を透視した図、（ｂ）は蓋３３が封止の状態にあるときにおける電子カメラ１００をその上面から見たときの内部の構造を透視した図、（ｃ）は電子カメラ１００をその正面から見たときの内部の構造を透視した図、（ｄ）は電子カメラ１００をその左側面から見たときの内部の構造を透視した図である。
【００６５】
図８に示す電子カメラ１００の構造の第三の例と前述した第一及び第二の例との大きな違いは、充電池１９を収納するための収納室３１の開口部が左側面側に設けられており、その開口部を封止するための、２次コイル２２が設けられている蓋３３が電子カメラ１００の右側面側に設けられている点にある。
【００６６】
このように、電子カメラ１００の左側面に平行且つ近接した部分に２次コイル２２を配置することによっても、電力供給の効率が良好となるような配置にスタンド２００に設けられる１次コイル２９と２次コイル２２とを位置させることが容易となり、また、電子カメラ１００の正面側に２次コイル２２を配置すると生じる他の構成要素の配置の制約が解消される。更に、このような配置によれば、電子カメラ１００がスタンド２００に載置されたときにスタンド２００で発生させる強い磁界から離れた場所に主基板３７を位置させることができるので、その磁界が電子カメラ１００の有する電気回路に与える影響が少なくなる。
【００６７】
次に図９について説明する。同図は、図８に示した電子カメラ１００について用いられるスタンド２００の構造の例を示している。図９において、（ａ）は電子カメラ１００がスタンド２００に載置される様子を正面から見た図であり、（ｂ）は電子カメラ１００がスタンド２００に載置された状態をその左側面から見た図である。
【００６８】
図９に示すスタンド２００の構造と図７に示すスタンド２００の構造の第二の例との違いは、電子カメラ１００が縦向き、すなわち図７に示されている載置状態に対して９０度回転させ、蓋３３が設けられている電子カメラ１００の左側面が下向きとなるように載置される点のみであり、他の構造は同一である。
【００６９】
電子カメラ１００及びスタンド２００がそれぞれ図８及び図９に示す構成及び構造を有することによっても、電子カメラ１００に充電用の金属端子を筐体表面に設けることなく充電池１９の充電を行なうことができる。
【００７０】
次に図１０について説明する。同図は本発明を実施する電子カメラ１００の主要な構造の第四の例を示す図である。図１０において、（ａ）は蓋３３が開放の状態にあるときにおける電子カメラ１００をその上面から見たときの内部の構造を透視した図、（ｂ）は蓋３３が封止の状態にあるときにおける電子カメラ１００をその上面から見たときの内部の構造を透視した図、（ｃ）は電子カメラ１００をその正面から見たときの内部の構造を透視した図、（ｄ）は電子カメラ１００をその左側面から見たときの内部の構造を透視した図である。
【００７１】
図１０に示す電子カメラ１００の構造の第四の例と図８に示した第三の例との大きな違いは、メモリカード８が格納されるメモリカード収納室４３が充電池１９を収納するための収納室３１に並べられて配置され、メモリカード収納室４３にメモリカード４３を収納するための挿入口が収納室３１の開口部と同様に電子カメラ１００の左側面側に設けられる点のみである。
【００７２】
メモリカード収納室４３をこのように配置することにより、収納室３１の開口部を封止するための蓋３３をメモリカード収納室４３にメモリカード４３を収納するための挿入口の封止のためにも用いることができるようになる。この蓋３３の共用によって電子カメラ１００の構造が簡単となるので、電子カメラ１００の小型化が容易になる。
【００７３】
なお、図１０に示す電子カメラ１００については、図９に示した構造を有するスタンド２００を用いれば、電子カメラ１００に充電用の金属端子を筐体表面に設けることなく充電池１９の充電を行なうことができる。
【００７４】
その他、本発明は、上述した実施形態に限定されることなく、種々の改良・変更が可能である。例えば、フェライトなどの透磁率の高い材料を１次コイル２９や２次コイル２２の中心部に配置するようにして、電磁誘導作用によってスタンド２００から電子カメラ１００へと供給される電力の損失の低減を目指すようにしてもよい。
【図面の簡単な説明】
【００７５】
【図１】本発明を実施する電子カメラシステムの電気的構成を示す図である。
【図２】図１に示す電子カメラの主要な構造の第一の例を示す図である。
【図３】図２に示す電子カメラの斜視図である。
【図４】図２及び図３に示した電子カメラについて用いられるスタンドの構造の第一の例を示す図である。
【図５】図２及び図３に示した電子カメラについて用いられるスタンドの構造の第二の例を示す図である。
【図６】図１に示す電子カメラの主要な構造の第二の例を示す図である。
【図７】図６に示した電子カメラについて用いられるスタンドの構造の例を示す図である。
【図８】図１に示す電子カメラの主要な構造の第三の例を示す図である。
【図９】図８に示した電子カメラについて用いられるスタンドの構造の例を示す図である。
【図１０】図１に示す電子カメラの主要な構造の第四の例を示す図である。
【符号の説明】
【００７６】
１  ＣＰＵ
２  撮影レンズ
３  撮像素子
４  撮像処理部
５  ＤＲＡＭ
６  画像処理部
７  フラッシュメモリ
８  メモリカード
９ａ、９ｂ  ＵＳＢ  Ｉ／Ｆ
１０ａ、１０ｂ  ＵＳＢ端子
１１  ＳＩＦドライバ
１２  バス
１２ａ、１２ｂ  受発光部
１３  ＬＣＤドライバ
１４  ＬＣＤディスプレイ
１５  セルフＬＥＤ
１６  操作指示部
１７  リモコン受光部
１８  電源部
１９  充電池
２０  ＤＣ入力端子
２１  充電部
２２  ２次コイル
２３  ビデオＩ／Ｆ
２４  ビデオ出力端子
２５  ＡＣ／ＤＣ変換部
２６  ＡＣ電源コード
２７  ＤＣ電源コード
２８  発振部
２９  １次コイル
３１  収納部
３２  ヒンジ
３３  蓋
３４  基板
３５  透明部
３６  フレキシブル基板
３７  主基板
３８  鏡枠
３９  レリーズボタン
４０  開放スイッチ
４１  ストロボ
４２  三脚ネジ穴
４３  メモリカード収納室
１００  電子カメラ
２００  スタンド
【図１】
2006353094.tif 000003
【図４】
2006353094.tif 000004
【図６】
2006353094.tif 000005
【図７】
2006353094.tif 000006
【図８】
2006353094.tif 000007
【図９】
2006353094.tif 000008
【図１０】
2006353094.tif 000009
【図２】
2006353094.tif 000010
【図３】
2006353094.tif 000011
【図５】
2006353094.tif 000012